(57)【要約】【課題】  配線を壁に埋設することなく壁に沿わせて略水平方向とすることができて配線自由度に優れ、配線と共に棚板の後端部を体裁良く納めて同棚板を確実に取り付け支持させることができる棚板取付装置を提供する。【解決手段】  前方へ開口した断面略コ字型の溝型部材１を略水平にして壁２に取り付け固定し、この溝型部材１の溝内部下側に棚板３の後端部３ａを差し入れて同溝型部材１の溝内部上側に収容スペースＳを残存形成し、この収容スペースＳに内部が配線収納部４として中空状に形成された化粧部材５を嵌め込み固定してなる棚板取付装置とした。【選択図】図１
2007000309.tif 000002
【特許請求の範囲】
【請求項１】
前方へ開口した断面略コ字型の溝型部材を略水平にして壁に取り付け固定し、この溝型部材の溝内部下側に棚板の後端部を差し入れて同溝型部材の溝内部上側に収容スペースを残存形成し、この収容スペースに内部が配線収納部として中空状に形成された化粧部材を嵌め込み固定してなる棚板取付装置。
【請求項２】
前方へ開口した断面略コ字型の化粧部材本体と、この化粧部材本体の前方開口を開閉するカバー蓋体と、で中空状の化粧部材を形成したことを特徴とする請求項１記載の棚板取付装置。
【請求項３】
カバー蓋体にコンセントを付設して、このコンセントへの配線を配線収納部となる化粧部材本体の内部に収納したことを特徴とする請求項２記載の棚板取付装置。
【請求項４】
化粧部材本体の下辺部を上辺部よりも前方へ突出させて形成することで、カバー蓋体をその上側が後方へ傾くように傾斜させたことを特徴とする請求項３記載の棚板取付装置。
【発明の詳細な説明】
【技術分野】
【０００１】
本願発明は、棚板の後端部を壁に取り付け支持させてなる棚板取付装置に関するものである。
【背景技術】
【０００２】
従来のこの種の棚板取付装置は、一般に、図４に示す如く、棚板３を棚受２０で壁２に取り付け支持させてなるものであった。この場合、棚受２０は壁２にビス１６で取り付け固定され、棚板３の後端部３ａが同棚受２０上に載設されてビス１６で固定される。そして、この棚板取付装置が台所に施工される場合には、棚板３上に炊飯器や湯沸し器等の電気機器２１が載置されることがある。このような使用状態においては、一般に、コンセント８が壁２の下方に設けられていることが多く、電気機器２１から導出される電気コード２２は棚板３の前端から垂れ下がってコンセント８へと接続され、同電気コード２２が邪魔になって体裁も良くないものであった。又、コンセント８への配線９は、壁２内に埋設されるものであって固定的で配線自由度が低いものであった。
【０００３】
又、特許文献１（特公平７−７７５６９号公報）には、図５に示す如く、棚板３を棚受２０で壁２に取り付け支持させてなるものであって、棚受２０をパイプ状に形成してその内部に照明装置を設けたものが開示されている。この照明装置付棚受にあっては、下方の棚板３上を明るく照らすことができ、照明装置への配線も棚受２０の内部に収納されていて体裁良く納められるものである。しかしながら、この場合、棚受２０は水平方向に間隔をあけて壁２に複数配設されるものであって、その位置が固定的で照明装置の位置は決まってしまい、照明装置への配線が棚受２０に至るまでは壁２内に埋設されるものであって配線自由度も低いものであった。
【特許文献１】特公平７−７７５６９号公報
【発明の開示】
【発明が解決しようとする課題】
【０００４】
本願発明は、上記背景技術に鑑みて発明されたもので、その課題は、配線を壁に埋設することなく壁に沿わせて略水平方向とすることができて配線自由度に優れ、配線と共に棚板の後端部を体裁良く納めて同棚板を確実に取り付け支持させることができる棚板取付装置を提供することである。
【課題を解決するための手段】
【０００５】
上記課題を解決するために、本願発明の棚板取付装置は、前方へ開口した断面略コ字型の溝型部材を略水平にして壁に取り付け固定し、この溝型部材の溝内部下側に棚板の後端部を差し入れて同溝型部材の溝内部上側に収容スペースを残存形成し、この収容スペースに内部が配線収納部として中空状に形成された化粧部材を嵌め込み固定してなる。
【発明の効果】
【０００６】
本願発明の棚板取付装置にあっては、壁に取り付け固定される溝型部材の溝内部下側に棚板の後端部が納められ、同溝内部上側に化粧部材が嵌め込み固定されて、棚板は確実に取り付け支持され、体裁も良好に納められる。しかも、化粧部材は中空状に形成されてその内部が配線収納部とされるので、この配線収納部を用いることにより、配線を壁に埋設することなく壁に沿わせて略水平方向とすることができ、外観に支障を来たすことなく配線自由度に優れたものとなる。
【発明を実施するための最良の形態】
【０００７】
図１〜３は、本願請求項１〜４全てに対応した一実施形態である棚板取付装置を示している。この実施形態の棚板取付装置は、前方へ開口した断面略コ字型の溝型部材１を略水平にして壁２に取り付け固定し、この溝型部材１の溝内部下側に棚板３の後端部３ａを差し入れて同溝型部材１の溝内部上側に収容スペースＳを残存形成し、この収容スペースＳに内部が配線収納部４として中空状に形成された化粧部材５を嵌め込み固定してなるものである。
【０００８】
又、この実施形態の棚板取付装置では、前方へ開口した断面略コ字型の化粧部材本体６と、この化粧部材本体６の前方開口を開閉するカバー蓋体７と、で中空状の化粧部材５を形成している。この場合、カバー蓋体７にコンセント８を付設して、このコンセント８への配線９を配線収納部４となる化粧部材本体６の内部に収納している。そして、化粧部材本体６の下辺部１０を上辺部１１よりも前方へ突出させて形成することで、カバー蓋体７をその上側が後方へ傾くように傾斜したものとしている。
【０００９】
以下、この実施形態の棚板取付装置を、より具体的詳細に説明する。この実施形態の棚板取付装置は、例えば、台所の壁２に施工されるものであり、その場合には、棚板３上に炊飯器や湯沸し器等の電気機器２１（図４参照）が載置されるものである。又、この実施形態の棚板取付装置では、溝型部材１及び棚板３が木製で、化粧部材５の化粧部材本体６及びカバー蓋体７はアルミニウム等の金属或いは合成樹脂でなる押出型材である。この場合、化粧部材本体６を強固な金属製の押出型材で形成し、カバー蓋体７を弾性に富んだ合成樹脂製の押出型材で形成することが好ましく、そうすることで、棚板３の後端部３ａが確実に支持固定され、カバー蓋体７は着脱操作され易くなる。
【００１０】
棚板３は壁２に沿って水平方向に長い長方形状の木質板材で、その後端部３ａが溝型部材１の溝内部下側に差し入れられて固定され、同後端部３ａの上方には収容スペースＳが残存形成される。この場合、溝型部材１は木質材でなり、上板部１２と下板部１３と背板部１４とで断面略コ字型に形成されている。背板部１４には下孔１５が上下対に水平方向で間隔をあけて複数対穿設配置され、各下孔１５に挿通されるビス１６により溝型部材１は壁２の壁面に取り付け固定されている。そして、下板部１３が上板部１２よりも前方へ突出して形成されており、この下板部１３上には棚板３の後端部３ａを容易且つ確実に載設することができて、この後端部３ａはビス１６により同下板部１３上に固定される。その際、上板部１２の前方への突出寸法が小さいことで、上方から簡単にビス１６をねじ込むことができる。
【００１１】
溝型部材１の溝内部下側に棚板３の後端部３ａを差し入れ固定することでその上側に残存形成された収容スペースＳには、中空状の化粧部材５が嵌め込み固定される。化粧部材５は断面略コ字型の化粧部材本体６とその前方開口を開閉するカバー蓋体７とでなり、同化粧部材本体６の内部が配線収納部４とされる。この場合、断面略コ字型の化粧部材本体６の下辺部１０が上辺部１１よりも前方へ突出して形成されており、この下辺部１０の前後巾寸法は溝型部材１の下板部１３の前方への突出寸法と略等しくて、収容スペースＳに嵌め込まれた同化粧部材本体６の下辺部１０と溝型部材１の下板部１３とで棚板３の後端部３ａが強固に挟持固定される。又、化粧部材本体６の上辺部１１の前後巾寸法が溝型部材１の上板部１２の前方への突出寸法と略等しくて、この溝型部材１の溝内部には同化粧部材本体６が体裁良く納められる。
【００１２】
カバー蓋体７は帯板状で、その背面両側に弾性変形可能な係止脚片１７が長手方向に亘って一体に突出形成されている。そして、化粧部材本体６の下辺部１０及び上辺部１１の前端縁内側には係止凸条１８が長手方向に亘って一体に突出形成されており、この両係止凸条１８に前記係止脚片１７が弾性的に係合されることで、同化粧部材本体６の前方開口は前記カバー蓋体７が着脱自在に取り付けられて開閉される。この場合、化粧部材本体６の下辺部１０が上辺部１１よりも前方へ突出して形成されているので、カバー蓋体７はその上側が後方へ傾くように傾斜して取り付けられる。
【００１３】
又、カバー蓋体７には取付開口１９が形成されており、この取付開口１９にはコンセント８が嵌合して付設される。その際、カバー蓋体７が前記のように傾斜して取り付けられていることで、コンセント８は前斜め上方を向くように設置され、このコンセント８へのプラグ接続作業が容易となる。そして、コンセント８から導出される配線９は、配線収納部４となる前記化粧部材本体６の内部に収納される。なお、カバー蓋体７は長手方向に分割して化粧部材本体６の前方開口に取り付けられてもよいものであり、この場合、分割されて隣接する両カバー蓋体７の間にコンセント８が介在付設されて、同化粧部材本体６に対し直接に取り付け支持されてもよいものである。
【００１４】
したがって、この実施形態の棚板取付装置においては、壁２に取り付け固定される溝型部材１の溝内部下側に棚板３の後端部３ａが納められて固定され、同溝内部上側に化粧部材５が嵌め込み固定されるので、この棚板３の後端部３ａは確実に取り付け支持され、その近辺の体裁も良好に納められる。しかも、化粧部材５は中空状に形成されてその内部が配線収納部４とされるので、この配線収納部４を用いることにより、コンセント８への配線９やその他の配線を壁２に埋設することなく壁２に沿わせて略水平方向とすることができ、外観に支障を来たすことなく配線自由度に優れたものとなっている。
【００１５】
又、この実施形態の棚板取付装置においては、前方へ開口した断面略コ字型の化粧部材本体６と、この化粧部材本体６の前方開口を開閉するカバー蓋体７と、で中空状の化粧部材５が形成されているため、このカバー蓋体７を開けた状態にして容易に配線作業を行うことができ、同カバー蓋体７を閉じてコンセント８への配線９やその他の配線を体裁良く隠すことができる。この場合、カバー蓋体７にコンセント８を付設して、このコンセント８への配線９を配線収納部４となる化粧部材本体６の内部に収納している。そして、化粧部材本体６の下辺部１０を上辺部１１よりも前方へ突出させて形成することで、カバー蓋体７をその上側が後方へ傾くように傾斜したものとしているため、化粧部材５が嵌め込み固定された部位の外観意匠性が向上されるだけでなく、このコンセント８へのプラグ接続作業も容易となる。
【図面の簡単な説明】
【００１６】
【図１】本願発明の一実施形態である棚板取付装置を示す断面図。
【図２】同棚板取付装置を示す分解斜視図。
【図３】同棚板取付装置における化粧部材を示す断面図。
【図４】従来例である棚板取付装置を示す断面図。
【図５】別の従来例である照明装置付棚受の施工状態を示す斜視図。
【符号の説明】
【００１７】
１  溝型部材
２  壁
３  棚板
３ａ  後端部
４  配線収納部
５  化粧部材
６  化粧部材本体
７  カバー蓋体
８  コンセント
９  配線
１０  下辺部
１１  上辺部
Ｓ  収容スペース
【図１】
2007000309.tif 000003
【図２】
2007000309.tif 000004
【図３】
2007000309.tif 000005
【図４】
2007000309.tif 000006
【図５】
2007000309.tif 000007